(57)【要約】  ネジ穴と前記ネジ穴に螺合するネジとワッシャーからなり、外部入力電源と連結される入力端子と；前記入力端子と連結された中心線路と；前記中心線路から並列に分岐される複数の引入線路と；遮断機等の他の負荷端と連結されるように前記引入線路の先端部を形成する複数の出力端子からなる連結部と；前記中心線路が内設される中心溝と、前記各引入線路が内設される複数の側面溝と、前記各引入線路が絶縁された状態で前記連結部の各出力端子と連結できるように案内するために側面に突設される絶縁ブロックと、前記絶縁ブロックの一部であり、他の絶縁ブロックの幅とは異なる幅を有し、前記並列連結される連結部の複数の出力端子から単位出力端子を識別する識別ブロックと、を含む端子本体と；を備え、引入される入力電源に複数の負荷が連結される。
2008510286.tif 000002
【特許請求の範囲】
【請求項１】
ネジ穴と前記ネジ穴に螺合するネジとワッシャーとからなり、外部入力電源と連結される入力端子と；
前記入力端子と連結された中心線路と；
前記中心線路から並列に分岐される複数の引入線路と；
遮断機等の他の負荷端と連結できるように前記引入線路の先端部を形成する複数の出力端子からなる連結部と；
前記中心線路が内設される中心溝と、前記各引入線路が内設される複数の側面溝と、前記各引入線路が絶縁された状態で前記連結部の各出力端子と連結できるように案内するために側面に突設される絶縁ブロックと、前記絶縁ブロックの一部であり、他の絶縁ブロックの幅とは異なる幅を有し、前記並列連結される連結部の複数の出力端子から単位出力端子を識別する識別ブロックと、を含む端子本体と；を備え、
引入される入力電源に複数の負荷が連結されることを特徴とする電源分配パネル。
【請求項２】
請求項１に記載の電源分配パネルにおいて、
前記連結部の各出力端子は、ネジ穴と前記ネジ穴に螺合するネジとワッシャーとからなることを特徴とする電源分配パネル。
【請求項３】
請求項１に記載の電源分配パネルにおいて、
前記連結部の各出力端子は、負荷端の線路が内入されるソケットと、前記ソケットに内入された線路を固定させるネジと、からなることを特徴とする電源分配パネル。
【発明の詳細な説明】
【技術分野】
【０００１】
本発明は、電源分配パネルに係り、特にネジ穴と前記ネジ穴に螺合するネジとワッシャーとからなり、外部入力電源と連結される入力端子と；前記入力端子と連結された中心線路と；前記中心線路から並列に分岐される複数の引入線路と；遮断機等の他の負荷端と連結できるように前記引入線路の先端部を形成する複数の出力端子からなる連結部と；前記中心線路が内設される中心溝と、前記各引入線路が内設される複数の側面溝と、前記各引入線路が絶縁された状態で前記連結部の各出力端子と連結できるように案内するために側面に突設される絶縁ブロックと、前記絶縁ブロックの一部であり、他の絶縁ブロックの幅とは異なる幅を有し、前記並列連結される連結部の複数の出力端子から単位出力端子を識別する識別ブロックと、を含む端子本体と；を備える電源分配パネルに関する。
【背景技術】
【０００２】
一般に、従来の電源分配パネルは、入力端、分配線路及び出力端のそれぞれが露出される状態で安定器又は遮断機と結合されて使用されているので、設置費用が高くなることはもとより、事故が起こりやすく、かつ、負荷端の出力制御がそれぞれ独立的に固定されているので、工場設備内での流動的な運用ができないという問題点があった。
【０００３】
すなわち、負荷端に安定器又は遮断機を設ける必要がない場合にも安定器又は遮断機が強制的に連結されているので、不要な設備費用がかかっているに違いない。
【０００４】
また、電源が安定器又は遮断機を通して連結されるので、前記従来技術によると、電源入力が容易に負荷端に配分されないという問題点があった。
【０００５】
また、一つの安定器又は遮断機で負荷端全体の入出力を制御できないことはもとより、さらにユーザの必要に応じて負荷端の電気安定設計を流動的に変えることができないという問題点があった。
【発明の開示】
【発明が解決しようとする課題】
【０００６】
本発明は、かかる従来の問題点を解消するためのもので、入力された電源を容易に負荷端に配分する電源分配パネルを提供することを目的とする。
【０００７】
また、一つの安定器又は遮断機で負荷端全体の入出力を制御する電源分配パネルを提供することを目的とする。
【０００８】
さらに、本発明は、ユーザの必要に応じて負荷端の電気安定設計を流動的に変えることができる電源分配装置を提供することを目的とする。
【課題を解決するための手段】
【０００９】
上記目的を達成するために本発明は、ネジ穴と前記ネジ穴に螺合するネジとワッシャーからなり、外部入力電源と連結される入力端子と；前記入力端子と連結された中心線路と；前記中心線路から並列に分岐される複数の引入線路と；遮断機等の他の負荷端と連結できるように前記引入線路の先端部を形成する複数の出力端子からなる連結部と；前記中心線路が内設される中心溝と、前記各引入線路が内設される複数の側面溝と、前記各引入線路が絶縁された状態で前記連結部の各出力端子と連結できるように案内するために側面に突設される絶縁ブロックと、前記絶縁ブロックの一部であり、他の絶縁ブロックの幅とは異なる幅を有し、前記並列連結される連結部の複数の出力端子から単位出力端子を識別する識別ブロックと、を含む端子本体と；を備える電源分配パネルを提供する。
【００１０】
本発明の他の実施例によれば、前記連結部の各出力端子が、ネジ穴と、前記ネジ穴と結合されるネジと、ワッシャーとからなる電源分配パネルを提供する。
【００１１】
本発明のまた他の実施例によれば、前記連結部の各出力端子が、負荷端の線路が内入されるソケットと、前記ソケットに内入された線路を固定させるネジとからなることを特徴とする電源分配パネルを提供する。
【発明の効果】
【００１２】
本発明は、電源の引入端を入力端子に連結し、負荷端に連結可能な出力端子を複数形成することにより、入力された電源を容易に負荷端に配分する電源分配パネルを提供することができるという利点がある。
【００１３】
また、前記入力端子には入力電源の安定器又は遮断機を連結手段に直接連結することにより、入力電源の電気安定状態を確保し、出力端には負荷端を連結することにより、前記入力端子に連結された安定器又は遮断機によって負荷端全体の入出力を制御し得る電源分配パネルを提供することができるという利点がある。
【００１４】
さらに、前記それぞれの出力端子にも安定器又は遮断機を必要に応じて選択的に連結することができることから、ユーザの必要に応じて電気安定設計を流動的に変えることができる電源分配装置を提供することができるという利点がある。
【発明を実施するための最良の形態】
【００１５】
以下、添付図面を参照しつつ、本発明の好ましい実施例について説明する。本発明を説明するにあたって、関連公知技術又は構成についての具体的な説明によって本発明の要旨が不明になると判断される場合は、その詳細な説明は省略する。また、後述する用語は、本発明の機能を考慮に入れて定義された用語であり、ユーザ又は運用者の意図又は慣例等によって置き換えられる。よって、用語の定義は、本発明による電源分配パネルを説明する本明細書の全体の内容に基づいてなされる必要がある。
【００１６】
図１及び図２は、本発明に係る一実施例の電源分配パネルの構成図及び分解斜視図であり、図３は、本発明に係る他の実施例の電源分配パネル出力端子の構成図であり、図４乃至図６それぞれは、本発明に係る多様な実施例の電源分配パネルの使用状態を示す平面図である。
【００１７】
同図に示すように、本発明の基本的な構成は、入出力端子と端子本体１００であって、前記入出力端子は、入力端子１０と出力端子２０とを含み、前記端子本体１００は、中心溝１５０と絶縁ブロック２００と識別ブロック２１０とを含んで構成される。
【００１８】
本発明は、引入される電源を負荷端に容易に連結させるためのパネルであって、前記入力端子１０は、連結手段３０によって入力電源が印加される端子部である。図２には、連結手段３０が、ネジ穴３３と、前記ネジ穴３３に螺合するネジ３１と、ワッシャー３２とからなり、引入線路と直接締結される方式が開示されている。
【００１９】
前記出力端子２０は、前記入力端子１０と連結された中心線路１５に一つ以上の複数に分岐して並列連結される端子であり、図２は、本発明に係る多様な出力端子の分岐形態のうち、普遍的に使用される実施例であって、垂直の中心線路に対して左右対称の複数の出力端子を備える構成を示している。
【００２０】
本発明は、これに限定されるものではなく、垂直の中心線路１５に対して左側及び右側のどちらか一方に各出力端子を備える非対称の分岐形態を備えてもかまわない。
【００２１】
負荷端の線路を容易に連結するために、前記出力端子２０にも入力端子１０と同様にして連結部を備えることが望ましい。この際、出力端子２０の連結部は、図２に示すように、入力端子１０の連結手段３０と類似のネジ穴３３と、前記ネジ穴３３に螺合するネジ３１と、ワッシャー３２とを備えるか、又は、図３に示すように、負荷端の線路が内入されるソケット４２と、前記ソケット４２に内入された線路を固定するネジ４１とを備えることが望ましい。
【００２２】
図３において、符号４３は、ネジ４１が挿入されるネジ穴を示す。
【００２３】
一方、図２に示す中心線路１５は、それぞれが垂直に一定間隔離隔されている層状構造を有するが、本発明はこれに限定されず、全中心線路を同一の平面に配置してもよい。
【００２４】
本発明の前記端子本体１００の中心部には、深い中心溝１５０を設けて前記中心線路１５を内設する。
【００２５】
具体的に、引入電源は、通常３個の線路が一つの単位入力を形成する三相電源であるので、前記３個の線路を前記中心溝１５０に互いに絶縁状態で、層状構造で内設する。
【００２６】
図２のように、前記絶縁ブロック２００は、前記端子本体１００の左右側に対称形成され、前記端子本体１００の下端部は、前記絶縁ブロック２００が一体化された突設構造を有する。
【００２７】
又は、前記絶縁ブロック２００は、前記端子本体１００の上下端部が開口し、左右が対称になる突設構造を有することもできる。
【００２８】
前記絶縁ブロック２００は、前記中心線路１５から分岐された線路が、前記出力端子２０と連結されるように案内するもので、各端子線路が互いに絶縁されるように左右に突設された側壁を形成する。
【００２９】
前記出力端子２０は、前記絶縁ブロック２００の側壁によって取り囲まれ、各端子の外部への露出を防止する等、電気的安全装置の役割をする。
【００３０】
一方、前記識別ブロック２１０は、前記絶縁ブロック２００の一部であり、他の絶縁ブロック２００の幅とは異なる幅を有する。これは、上述したように単位電源が複数の相を有するので（例えば、三相の場合は３個の線路）、前記単位電源別に絶縁ブロック２００の幅を異ならせることにより、各単位出力端子２０を識別しやすくするためである。
【００３１】
符号３００は、端子蓋を示す。
【００３２】
前記中心溝１５０、絶縁ブロック２００、識別ブロック２１０を含む端子本体１００と、端子蓋３００とのそれぞれの構成は、垂直層状構造の中心線路と、左右対称に分岐される複数の出力端子とを安置させるための構成をとるので、前述したように中心線路を平面線路にした場合、又は、出力端子を非対称に分岐した場合には、これに合わせて端子本体を構成することは言うまでもない。
【００３３】
一方、本発明では、入力端子及び出力端子の各連結部の構成を、前述した構成に限定せず、種々変更することができる。
【００３４】
まず、図４及び図５に示すように、別途のコネクター１２、２２を媒介とする方法が可能である。この方法は、別途のコネクター１２、２２を準備した上、前記コネクター１２、２２の両端をネジとワッシャーを利用して端子に締結することで、遮断機又は安定器５２０、５４０、５６０の各入力端子を、本発明の電源分配パネルの各入力端子又は出力端子に締結する方法である。
【００３５】
また、図示されてはいないが、前記コネクターの一端を、本発明に係る電源分配パネルの入力端子又は出力端子のそれぞれの先端に、前記入力端子又は出力端子と一体化し、前記コネクターの他端を端子本体の外部に延在させて、ネジとワッシャーを用いて延在した前記コネクターの他端を、遮断機又は安定器のそれぞれの入力端子に直接締結する方式を採用してもよい。
【００３６】
要するに、本発明は、電源の引入端を入力端子１０に連結し、負荷端に連結可能な出力端子２０を複数形成することにより、入力された電源を容易に負荷端に配分する電源分配パネルを提供することができるという利点がある。
【００３７】
特に、本発明によれば、入力端子には入力電源の安定器又は遮断機を連結手段あるいはコネクターを用いて連結することにより、入力電源の電気安定状態を確保し、かつ、出力端子には負荷端を連結することにより、前記入力端子１０に連結された安定器又は遮断機を用いて負荷端全体の入出力を制御することができ、しかも、各出力端子２０にも連結手段又はコネクターを用いて使用用途に合わせて様々な安定器又は遮断機を選択的に連結することができることから、ユーザの必要に応じて電気安定設計を流動的に変えることができる電源分配装置が提供されるという利点がある。
【００３８】
図５及び図６には、入力電源及び出力電源を同時に制御可能にするために、入力端子に前述の媒介手段であるコネクター１２を用いて遮断機５２０を連結させ、各出力端子には用途に合わせて各種遮断機５４０、５６０を、コネクター２２を用いて連結させる多様な構成が開示されている。
【００３９】
また、本発明に係る電源分配パネルは、使用状態及び負荷端の種類及び数に応じて入力端子及び出力端子の位置を適切に変更し、複数の組み合わせにより多様な形態を採用することができる。
【００４０】
このうち、図５では、別途のコネクター１４を用いて電源分配パネルを垂直連結して使用する状態を示し、図６では、入力端子の位置を適切に変更して構成した電源分配パネル（下端電源分配パネル）を、コネクター１４を用いてＴ字形に連結して使用する状態を示している。
【００４１】
以上、本発明の説明によれば、図１乃至図３のそれぞれは三相電源に関して上述しているが、図４乃至図６のそれぞれに図示されているもの以外にも、本発明の要旨を実現するために多様な形態の組み合わせが可能であることは自明であろう。
【００４２】
したがって、図面に示されているものは、本発明に係る電源分配パネルを実施するための一つの実施例に過ぎないものであり、本発明は、前述した実施例に限定されるものではなく、本発明の属する分野において通常の知識を有する者であれば、本発明の要旨を逸脱せず、請求の範囲内で多様な変更実施が可能であり、この変更実施が可能である範囲まで本発明の技術的精神があると言えるであろう。
【図面の簡単な説明】
【００４３】
【図１】本発明に係る一実施例の電源分配パネルの構成図
【図２】一実施例の電源分配パネルの分解斜視図
【図３】他の実施例の電源分配パネル出力端子の構成図
【図４】多様な実施例の電源分配パネルの使用状態を示す平面図
【図５】多様な実施例の電源分配パネルの使用状態を示す平面図
【図６】多様な実施例の電源分配パネルの使用状態を示す平面図
【図１】
2008510286.tif 000003
【図２】
2008510286.tif 000004
【図３】
2008510286.tif 000005
【図４】
2008510286.tif 000006
【図５】
2008510286.tif 000007
【図６】
2008510286.tif 000008
【国際調査報告】
2008510286.tif 000009